(57)【要約】      （修正有）【課題】非常に難しかった自分一人での整髪を可能にし、且つ散らかさずに、時間短縮と金銭の節約とを実現する整髪のためだけの、持ち運び自由な家庭用収納一体型吸引式整髪機器を提供することである。【解決手段】小型掃除機の吸引装置を小型の収納容器内部に固定し、吸引装置の上に、分解が簡単な集髪カップとストレーナーを設け、吸引口と一体成型のバリカン部を吸引ホースで接続する。配線はホースに構造的に施すか、ホース内部を通し、リレー制御によりバリカン部のスイッチで、吸引装置とバリカンの両方を制御する。丸刈りはこのままで出来るが、社会人のための整髪には髪の長さを一定に揃えるスライド式可変長アタッチメントと、襟足・耳周り・もみ上げ用の傾斜アタッチメントの二種類と、襟足を揃えるためのテンプレート二種類数枚を備えることにより可能にした。【選択図】図１
2008161652.tif 000002
【特許請求の範囲】
【請求項１】
整髪が一人で出来る持ち運び自由な収納一体型吸引式整髪機器。
【請求項２】
邪魔な配線を吸引ホースと一体構造もしくはホース内に内蔵し、各接合部に特殊な差し込み式接点とロック装置により、集髪カップ・ホース・バリカン部の組み立て・分解・清掃の簡単な、扱いやすい収納一体型吸引式整髪機器。
【請求項３】
バリカン部先端に装着して使用する髪長さ調整用の可変長アタッチメントと襟足、耳周辺及びもみ上げ用の傾斜アタッチメント。
【請求項４】
襟足を揃えるためのカットライン付テンプレート。
【発明の詳細な説明】
【技術分野】
【０００１】本発明は、‥‥家庭用理容・美容の整髪道具に関する。
【背景技術】
【０００２】従来の公開された特許・実用新案の吸引式整髪機器について説明する。【０００３】現在までに特許公開及び実用新案公開されたもので、実際に商品化・販売され、使用されているものが皆無である。【０００４】現在までに特許公開及び実用新案公開されたものでは、市販のバリカンにこれも市販されている掃除機の吸引ホースを取り付けて使用するものがほとんどである。
吸引ホースつきの掃除機は大型で吸引力も強力であるが、音も大きく整髪にはそれがゆえに不向きであるのと同時に、メーカーによりホース径もまちまちで、装着用のアダプター等が必要になる。また、その後に掃除が不要といっても、掃除機の先端を人の頭部に当てるのも不愉快である。【０００５】現在までに特許公開及び実用新案公開されたものでは、掃除機用電源と、バリカン用電源の二系統が必要で、ホースとバリカン用の電源コードで操作性が悪く、コンセントとスイッチも二箇所になり、準備にも手間が掛かる。
たとえ一方及び双方を充電式にしたとしても、充電器の設置場所や収納方法が問題になってくる。【０００６】現在までに特許公開及び実用新案公開されたもので、２００５−８１０８６のように、一体化されたものもあるが、操作性を重視し、十分な機能を備えると吸引力不足が懸念され、切断毛髪容器の容量も問題になってくる。また、特許文献の中にも吸引負圧を利用した物もあるが、それゆえにバリカンの作動力が不足し十分な整髪ができない。【０００７】
【特許文献１】  特開２０００−３００８６４
【特許文献２】  特開平７−１３６３５２
【特許文献３】  特開平９−６６１７６
【特許文献４】  特開平１０−３２８４３９
【特許文献５】  特開２０００−２４５９７７
【特許文献６】  特開２００１−１９０８６９
【特許文献７】  特開２００１−１９０８７０
【特許文献８】  特開２００１−１９０８７１
【特許文献９】  特開２００５−８１０８６
【実新文献１】
実開平６−７５３６８
【発明の開示】
【発明が解決しようとする課題】
【０００８】会社員、特に外回りの営業員にとっては、身だしなみの重要性は周知の事実である。貴重な時間を割いて最低でも毎月一回は床屋に通い、高騰化する整髪代を恨めしく想っている人は少なくないと思われる。【０００９】したがって、本発明の課題は、非常に難しかった自分単独での整髪を可能にし、且つ、時間短縮と金銭の節約とを実現する整髪のためだけの収納一体型吸引式整髪機器を提供することである。
【課題を解決するための手段】
【００１０】本発明の収納一体型吸引式整髪機器は、整髪が一人でできることを特徴とする。【００１１】また、‥‥‥一容器に総てを収納できることが特徴である。【００１２】また、‥‥‥持ち運びが簡単なことを特徴とする。【００１３】また、‥‥‥吸引ホース構造体として螺旋状配線された数本の対負圧導線、もしくは、ホース内部への配線を特徴とする。【００１４】また、‥‥‥吸引装置と集髪カップ及びバリカン部とホースとの脱着を簡素化することにより内部清掃と、収納作業性を向上させた。【００１５】また、‥‥‥上記の［００１４］を可能とするために、各接合部に特殊接点を設けた。【００１６】また、‥‥‥吸引装置部に配置された装置により、バリカン部のスイッチ一つでバリカン部・吸引装置の両駆動モーターを同時制御できることを特徴とする。また、十分な作動力を得るためにバリカンはあえて有線での電力供給とした。【００１７】また、‥‥‥吸引ホースとバリカンではなく、一体成型のバリカン部を特徴とする。【００１８】また、‥‥‥整髪専用を特徴とする。【００１９】また、‥‥‥バリカン部に装着して使用する髪長さ調整用のスライド式可変長アタッチメントと、襟足・耳周辺及びもみ上げ用の傾斜アタッチメントを装備することを特徴とする。【００２０】また、‥‥‥襟足を揃えるためのカットライン付テンプレート数種類・数枚の装備を特徴とする。
【本発明の効果】
【００２１】本発明によれば、‥‥‥家庭用電源さえあれば、他の人の手を煩わすことなく、整髪が一人でできる。
【００２２】また、‥‥‥総てを一容器に収納できるので、不要なときの仕舞い場所を選ばず、持ち運びが自由である。
【００２３】また、‥‥‥邪魔になる配線をホースに施すか、内蔵するため、整髪操作がしやすい。
【００２４】また、‥‥‥各部を差し込み、又はロックするだけで、接続完了となる特殊接点により、脱着がいたって簡単である。
【００２５】また、‥‥‥手元のスイッチ一つだけでバリカンと吸引装置を同時制御でき、操作が簡単である。
【００２６】また、‥‥‥整髪後の周辺清掃と、洗髪不要になるので、ベッドから離れられない入院中の方や介護の必要な方でも、その場で整髪が簡単に出来るようになる。
【００２７】また、‥‥‥長さ調整用のスライド式可変長アタッチメントを使用することにより、髪全体を一定の長さに短時間で整髪でき、傾斜アタッチメントを使用して、襟足・耳周辺及びもみ上げ用に角度をつけたカットを施すことが出来る。
【００２８】また、‥‥‥家族数人で使用することを前提にして、襟足揃え用に数種類・数枚の専用カットライン付テンプレートを装備し、各自好みの長さで揃えることが出来るようにした。
【本発明を実施するための最良の形態】
【００２９】本発明を実施するための最良の形態について、以下説明する。
【００３０】図１は、一容器内に納めた吸引装置全体と、集髪カップ・吸引ホース・バリカン部をセットした状態の全体図である。ホースの長さは１５００ｍｍ位が適当である。
【００３１】図２は、吸引ホース自体に施した対負圧兼用螺旋配線の仕様図である。
【００３２】図３は、図２の配線が不可能な場合に使用するホース内配線図である。
【００３３】図４は、全体の電気配線図である。
【００３４】図５は、吸引装置と集髪カップとの特殊接点とそのロック装置。及びホースとの特殊接点の側面図と平面図である。
【００３５】図６は、スイッチとモーターを内蔵したバリカン部の側面図と、ホースとバリカン部との特殊接点の図である。ホースから供給されたバリカン用電源と、制御装置用電源は、バリカン部本体内壁に埋め込み配線して、すっきりと納める。
【００３６】図７は、上記バリカン部上面図である。
【００３７】図８は、全体の髪長を一定に揃えるときにバリカン部先端に取り付ける「スライド式可変定長アタッチメント」の側面図である。
【００３８】図９は、スライド式可変定長アタッチメントの上面図である
【００３９】図１０は、バリカン部先端に取り付ける「傾斜アタッチメント」の側面図である。
４５度の角度で揃えることが出来る。
【００４０】図１１は、傾斜アタッチメント上面図である。
【００４１】図１２は、傾斜アタッチメント立面図である。
【００４２】図１３は、襟足を揃えるテンプレートである。頭の形には個人差があるため、破線を数段入れ、頭に当ててどの線でカットするかを各自で合わせられるようにした。
家族全員で使用できるように、また、襟足を直線で揃えるか、曲線にするかを選べるように、２種類を数枚準備し、名前を書き込む欄を印刷する。
【図面の簡単な説明】
【図１】  本発明を実施するための最良の形態による全体の側面カット図である。
【図２】  本発明を実施するためのホース内蔵配線図である。
【図３】  図２が不可能な場合のホース内配線図である。
【図４】  本発明を実施するための装置全体配線図である。
【図５】  本発明を実施するための４点接点と集髪カップロック略図である。
【図６】  本発明を実施するためのバリカン部側面図である。
【図７】  図６の上面図である。
【図８】  本発明を実施するための定長アタッチメントの側面図である。
【図９】  図８の上面図である。
【図１０】  本発明を実施するための傾斜アタッチメントの側面図である。
【図１１】  図１０の上面図である。
【図１２】  図１０の立面図である。
【図１３】  本発明を実施するための襟足テンプレート二種類である。
【図１】
2008161652.tif 000003
【図２】
2008161652.tif 000004
【図３】
2008161652.tif 000005
【図４】
2008161652.tif 000006
【図５】
2008161652.tif 000007
【図６】
2008161652.tif 000008
【図７】
2008161652.tif 000009
【図８】
2008161652.tif 000010
【図９】
2008161652.tif 000011
【図１０】
2008161652.tif 000012
【図１１】
2008161652.tif 000013
【図１２】
2008161652.tif 000014
【図１３】
2008161652.tif 000015